(57)【要約】【課題】データカードと生体情報測定装置がそれぞれ備えるＲＴＣの信頼性を客観的に判断し、より信頼性の高いＲＴＣの日時情報に較正することで、測定する生体情報に付随する日時情報の信頼性を向上する、生体情報処理システムを提供する。【解決手段】生体情報測定装置とデータカードの双方に、ＲＴＣの正確性を客観的に判断するための指標となる、時刻較正正確度フラグと、パソコンにて時刻較正を行った日時である電カル較正日時を導入した。この時刻較正正確度フラグと電カル較正日時を用いることで、生体情報測定装置とデータカードのどちらのＲＴＣを他方の日時情報に較正するか、または較正自体を行わないのかを明確な基準で判断することができる。【選択図】図１
2018084930.tif 000002
【特許請求の範囲】
【請求項１】
患者の生体情報を測定する１以上の生体情報測定装置と、前記生体情報測定装置から前記生体情報と測定日時情報を受信して所定のホスト装置へ転送する生体情報転送装置とよりなる生体情報処理システムであって、
前記生体情報測定装置は、
患者の物理的あるいは化学的状態や性質をアナログ信号として検出するセンサと、
前記センサが出力する前記アナログ信号をデジタルデータに変換するＡ／Ｄ変換器と、
前記デジタルデータを生体情報に変換する測定データ演算処理部と、
日時情報を計時するＲＴＣと、
前記生体情報が前記ＲＴＣが出力する測定日時情報と共に記憶される測定データメモリと、
前記測定データメモリに記憶されている前記生体情報と前記測定日時情報を前記生体情報転送装置へ送信する近距離無線通信部と、
前記生体情報転送装置から前記生体情報測定装置へ、前記生体情報測定装置の日時情報が正確であるか否かを示す時刻較正正確度フラグと、前記生体情報転送装置が正確な日時情報を提供する前記ホスト装置から受信した日時情報によって日時情報を較正した日時である電カル較正日時が記憶される時刻較正情報メモリと、
前記ＲＴＣを指定された日時情報で較正する時刻情報更新処理部と、前記ＲＴＣから得られる現在日時情報と、前記時刻較正正確度フラグと前記電カル較正日時とを、前記近距離無線通信部を通じて前記生体情報転送装置に送信すると共に、前記生体情報転送装置から日時情報と時刻較正正確度フラグと電カル較正日時を受信した場合には、前記時刻情報更新処理部を通じて前記生体情報転送装置から受信した前記日時情報で前記ＲＴＣを較正し、前記生体情報転送装置から受信した前記時刻較正正確度フラグと前記電カル較正日時を前記時刻較正情報メモリに保存する入出力制御部と
を具備し、
前記生体情報転送装置は、
前記生体情報測定装置から生体情報と測定日時情報を受信する近距離無線通信部と、
日時情報を計時するＲＴＣと、
前記生体情報測定装置から受信した前記生体情報と前記測定日時情報を記憶する測定データメモリと、
前記生体情報転送装置が前記ホスト装置から受信した正確な日時情報によって前記ＲＴＣが較正された時点の日時である電カル較正日時と、前記生体情報転送装置の日時情報が正確であるか否かを示す時刻較正正確度フラグが記憶される時刻較正情報メモリと、
患者を一意に識別する患者ＩＤが記憶されている患者ＩＤメモリと、
前記ＲＴＣを指定された日時情報で較正する時刻情報更新処理部と、
前記生体情報測定装置に対し、前記生体情報測定装置の前記時刻較正正確度フラグと前記電カル較正日時と現在日時情報の送信を要求して、前記生体情報測定装置から前記時刻較正正確度フラグと前記電カル較正日時と前記現在日時情報を受信する入出力制御部と、
前記生体情報測定装置から受信した前記電カル較正日時と前記時刻較正正確度フラグと、前記生体情報転送装置自体の前記電カル較正日時と前記時刻較正正確度フラグに基づいて、前記生体情報転送装置と前記生体情報測定装置のどちらが時刻を較正すべきであるかを判定する時刻情報判定処理部と
を具備し、
前記生体情報転送装置の前記入出力制御部は更に、
前記時刻情報判定処理部が、前記生体情報測定装置が前記生体情報転送装置の日時情報に較正すべきと判定したら、前記生体情報転送装置から前記生体情報測定装置へ、現在日時情報と、前記生体情報転送装置自体の時刻較正正確度フラグと、前記生体情報転送装置自体の前記電カル較正日時を送信し、
前記時刻情報判定処理部が、前記生体情報転送装置が前記生体情報測定装置の日時情報に較正すべきと判定したら、前記生体情報測定装置から受信した日時情報で前記生体情報転送装置の前記ＲＴＣを較正し、前記生体情報測定装置から受信した前記時刻較正正確度フラグにて前記生体情報転送装置の前記時刻較正正確度フラグを上書き保存し、前記生体情報測定装置から受信した前記電カル較正日時にて前記生体情報転送装置の電カル較正日時を上書き保存するものである、
生体情報処理システム。
【請求項２】
前記電カル較正日時は、前記生体情報転送装置及び前記生体情報測定装置を稼働させる電池が交換された際には、電池の交換の有無が検出できる所定の初期化日時に設定される、
請求項１に記載の生体情報処理システム。
【請求項３】
前記時刻情報判定処理部は、
前記生体情報測定装置の前記時刻較正正確度フラグが論理の偽であり、前記生体情報転送装置の前記時刻較正正確度フラグが論理の真である場合は、前記生体情報測定装置が前記生体情報転送装置の日時情報に較正すべきと判定し、
前記生体情報転送装置の前記時刻較正正確度フラグが論理の偽であり、前記生体情報測定装置の前記時刻較正正確度フラグが論理の真である場合は、前記生体情報転送装置が前記生体情報測定装置の日時情報に較正すべきと判定し、
前記生体情報転送装置と前記生体情報測定装置の前記時刻較正正確度フラグが共に論理の真である場合は、前記生体情報転送装置と前記生体情報測定装置の双方共に日時情報の較正を行わないものと判定する、
請求項２に記載の生体情報処理システム。
【請求項４】
患者の生体情報を測定する１以上の生体情報測定装置と、
前記生体情報測定装置から前記生体情報と測定日時情報を受信して所定のホスト装置へ転送する生体情報転送装置と
よりなる生体情報処理システムにおける生体情報測定装置であって、
前記生体情報測定装置は、
患者の物理的あるいは化学的状態や性質をアナログ信号として検出するセンサと、
前記センサが出力する前記アナログ信号をデジタルデータに変換するＡ／Ｄ変換器と、
前記デジタルデータを生体情報に変換する測定データ演算処理部と、
日時情報を計時するＲＴＣと、
前記生体情報が前記ＲＴＣが出力する測定日時情報と共に記憶される測定データメモリと、
前記測定データメモリに記憶されている前記生体情報と前記測定日時情報を前記生体情報転送装置へ送信する近距離無線通信部と、
前記生体情報転送装置から前記生体情報測定装置へ、前記生体情報測定装置の日時情報が正確であるか否かを示す時刻較正正確度フラグと、前記生体情報転送装置が正確な日時情報を提供する前記ホスト装置から受信した日時情報によって日時情報を較正した日時である電カル較正日時が記憶される時刻較正情報メモリと、
前記ＲＴＣを指定された日時情報で較正する時刻情報更新処理部と、前記ＲＴＣから得られる現在日時情報と、前記時刻較正正確度フラグと前記電カル較正日時とを、前記近距離無線通信部を通じて前記生体情報転送装置に送信すると共に、前記生体情報転送装置から日時情報と時刻較正正確度フラグと電カル較正日時を受信した場合には、前記時刻情報更新処理部を通じて前記生体情報転送装置から受信した前記日時情報で前記ＲＴＣを較正し、前記生体情報転送装置から受信した前記時刻較正正確度フラグと前記電カル較正日時を前記時刻較正情報メモリに保存する入出力制御部と
を具備する、生体情報測定装置。
【請求項５】
患者の生体情報を測定する１以上の生体情報測定装置と、
前記生体情報測定装置から前記生体情報と測定日時情報を受信して所定のホスト装置へ転送する生体情報転送装置と
よりなる生体情報処理システムにおける生体情報転送装置であって、
前記生体情報転送装置は、
前記生体情報測定装置から生体情報と測定日時情報を受信する近距離無線通信部と、
日時情報を計時するＲＴＣと、
前記生体情報測定装置から受信した前記生体情報と前記測定日時情報を記憶する測定データメモリと、
前記生体情報転送装置が前記ホスト装置から受信した正確な日時情報によって前記ＲＴＣが較正された時点の日時である電カル較正日時と、前記生体情報転送装置の日時情報が正確であるか否かを示す時刻較正正確度フラグが記憶される時刻較正情報メモリと、
患者を一意に識別する患者ＩＤが記憶されている患者ＩＤメモリと、
前記ＲＴＣを指定された日時情報で較正する時刻情報更新処理部と、
前記生体情報測定装置に対し、前記生体情報測定装置の前記時刻較正正確度フラグと前記電カル較正日時と現在日時情報の送信を要求して、前記生体情報測定装置から前記時刻較正正確度フラグと前記電カル較正日時と前記現在日時情報を受信する入出力制御部と、
前記生体情報測定装置から受信した前記電カル較正日時と前記時刻較正正確度フラグと、前記生体情報転送装置自体の前記電カル較正日時と前記時刻較正正確度フラグに基づいて、前記生体情報転送装置と前記生体情報測定装置のどちらが時刻を較正すべきであるかを判定する時刻情報判定処理部と
を具備し、
前記入出力制御部は更に、
前記時刻情報判定処理部が、前記生体情報測定装置が前記生体情報転送装置の日時情報に較正すべきと判定したら、前記生体情報転送装置から前記生体情報測定装置へ、現在日時情報と、前記生体情報転送装置自体の時刻較正正確度フラグと、前記生体情報転送装置自体の前記電カル較正日時を送信し、
前記時刻情報判定処理部が、前記生体情報転送装置が前記生体情報測定装置の日時情報に較正すべきと判定したら、前記生体情報測定装置から受信した日時情報で前記生体情報転送装置の前記ＲＴＣを較正し、前記生体情報測定装置から受信した前記時刻較正正確度フラグにて前記生体情報転送装置の前記時刻較正正確度フラグを上書き保存し、前記生体情報測定装置から受信した前記電カル較正日時にて前記生体情報転送装置の電カル較正日時を上書き保存するものである、
生体情報転送装置。
【請求項６】
患者の生体情報を測定する生体情報測定装置と、
前記生体情報測定装置から近距離無線通信にて前記生体情報と測定日時情報を受信して所定のホスト装置へ転送する生体情報転送装置と
よりなる生体情報処理システムにおける時刻同期方法であって、
前記生体情報転送装置から前記生体情報測定装置へ、前記生体情報測定装置の日時情報が正確であるか否かを示す時刻較正正確度フラグと、前記生体情報転送装置が正確な日時情報を提供する前記ホスト装置から受信した日時情報によって日時情報を較正した日時である電カル較正日時と、前記生体情報測定装置が計時する現在日時情報を要求する、サブ機器最新較正情報・現在日時情報要求ステップと、
前記生体情報測定装置から前記生体情報転送装置へ、前記時刻較正正確度フラグと、前記電カル較正日時と、前記現在日時情報を送信する、サブ機器最新較正情報・現在日時情報送信ステップと、
前記生体情報測定装置から前記時刻較正正確度フラグと、前記電カル較正日時と、前記現在日時情報を受信した前記生体情報転送装置が、前記電カル較正日時と前記時刻較正正確度フラグと、前記生体情報転送装置自体の前記電カル較正日時と前記時刻較正正確度フラグに基づいて、前記生体情報転送装置と前記生体情報測定装置のどちらが時刻を較正すべきであるかを判定する、時刻同期判定ステップと、
前記時刻同期判定ステップにおいて、前記生体情報測定装置が前記生体情報転送装置の日時情報に較正すべきと判定したら、前記生体情報転送装置から前記生体情報測定装置へ、現在日時情報と、前記生体情報転送装置自体の時刻較正正確度フラグと、前記生体情報転送装置自体の前記電カル較正日時を送信する、日時・フラグ・電カル較正日時送信ステップと、
前記日時・フラグ・電カル較正日時送信ステップを経て、前記生体情報測定装置が前記生体情報転送装置から受信した日時情報で前記生体情報測定装置のＲＴＣを較正し、前記生体情報転送装置から受信した前記時刻較正正確度フラグにて前記生体情報測定装置の時刻較正正確度フラグを上書き保存し、前記生体情報転送装置から受信した前記電カル較正日時にて前記生体情報測定装置の電カル較正日時を上書き保存する、生体情報測定装置較正ステップと
を有する、生体情報処理システムにおける時刻同期方法。
【請求項７】
更に、
前記時刻同期判定ステップにおいて、前記生体情報転送装置が前記生体情報測定装置の日時情報に較正すべきと判定したら、前記サブ機器最新較正情報・現在日時情報要求ステップにおいて前記生体情報測定装置から受信した日時情報で前記生体情報転送装置のＲＴＣを較正し、前記サブ機器最新較正情報・現在日時情報要求ステップにおいて前記生体情報測定装置から受信した前記時刻較正正確度フラグにて前記生体情報転送装置の時刻較正正確度フラグを上書き保存し、前記サブ機器最新較正情報・現在日時情報要求ステップにおいて前記生体情報測定装置から受信した前記電カル較正日時にて前記生体情報転送装置の電カル較正日時を上書き保存する、生体情報転送装置較正ステップと
を有する、請求項７に記載の生体情報処理システムにおける時刻同期方法。
【請求項８】
前記電カル較正日時は、前記生体情報転送装置及び前記生体情報測定装置を稼働させる電池が交換された際には、電池の交換の有無が検出できる所定の初期化日時に設定される、
請求項７に記載の生体情報処理システムにおける時刻同期方法。
【請求項９】
前記時刻同期判定ステップは、
前記生体情報測定装置の前記時刻較正正確度フラグが論理の偽であり、前記生体情報転送装置の前記時刻較正正確度フラグが論理の真である場合は、前記生体情報測定装置が前記生体情報転送装置の日時情報に較正すべきと判定し、
前記生体情報転送装置の前記時刻較正正確度フラグが論理の偽であり、前記生体情報測定装置の前記時刻較正正確度フラグが論理の真である場合は、前記生体情報転送装置が前記生体情報測定装置の日時情報に較正すべきと判定し、
前記生体情報転送装置と前記生体情報測定装置の前記時刻較正正確度フラグが共に論理の真である場合は、前記生体情報転送装置と前記生体情報測定装置の双方共に日時情報の較正を行わないものと判定する、
請求項８に記載の生体情報処理システムにおける時刻同期方法。
【発明の詳細な説明】
【技術分野】
【０００１】
本発明は、生体情報処理システム、生体情報測定装置、生体情報転送装置及び生体情報処理システムにおける時刻同期方法に関する。
より詳細には、複数の生体情報測定装置から生体情報を収集して、所定のホスト装置へ転送する、生体情報処理システムと、これに用いる生体情報測定装置、生体情報転送装置、そして時刻同期方法に関する。
なお、本明細書において、生体情報とは、血糖計が測定する血糖値、体温計が測定する体温、血圧計が測定する血圧、体動量計が測定する体動量、パルスオキシメータが測定する経皮的動脈血酸素飽和度（ＳｐＯ２）、体組成計が測定する体重及び体脂肪率等の、患者の物理的あるいは化学的な状態や性質を示す値であるものと定義する。また、血糖計、体温計、パルスオキシメータ、体動量計、血圧計、体組成計等、患者の生体情報を測定する機器を、生体情報測定装置と総称する。
【背景技術】
【０００２】
周知のように、糖尿病は膵臓のインスリン分泌異常やインスリンに対する感受性低下に起因する。特にインスリン分泌が停止した１型の糖尿病患者の場合は、食事前に血糖値を測定し、その値に応じてインスリンを投与する必要がある。
従来、家庭内で患者自ら或はその家族が血糖値を簡便に測定するために、出願人は、小型で自己測定を目的とした血糖値測定装置（以下「血糖計」）を開発し、製造販売している。
【０００３】
糖尿病は、現代の医療技術では完治がほぼ不可能な病気であり、糖尿病患者に対する治療は、できるだけ病状の悪化進行を食い止めることが行われている。具体的には、インスリン投与の他、食事を始めとする生活習慣を管理し、健康的で規則正しい生活を維持継続させること（ＱＯＬ（Quality of Life）の維持）である。このためには、患者が健康的で規則正しい生活を維持しているか否かを患者の担当医師がモニタリングする必要がある。血糖計だけでは、患者が健康的で規則正しい生活を維持しているか否かをモニタリングすることは困難である。
そこで出願人は、血糖計以外にも、外来通院する糖尿病患者が健康的で規則正しい生活を維持継続するために必要な、様々な生体情報測定装置を製造販売している。生体情報測定装置の一例としては、体温計、体組成計、血圧計、パルスオキシメータ、体動量計等である。
【０００４】
担当医師は、患者が複数の生体情報測定装置で測定した様々な生体情報を収集して、診断を行う必要がある。血糖計や体動量計等の、小型の生体情報測定装置であれば、患者が担当医師の居る医院に通院する際にそれら生体情報測定装置を直接持参することも可能であるが、血圧計や体組成計のような大型の生体情報測定装置の場合はそうも行かない。そこで出願人は、複数の生体情報測定装置が測定した生体情報を一元的に収集するデータカードを開発した。
複数の生体情報測定装置に記憶されている、測定された患者の生体情報を、近距離無線通信にてデータカードに転送する。患者は担当医師のいる医院に通院する際、このデータカードだけ持参すればよい。そして、担当医師が所有するパソコンに、データカードに記憶された複数の生体情報測定装置の生体情報を、予めデータカードに記憶されている患者の患者ＩＤと共に転送する。
特許文献１には、このデータカードに関する技術内容が開示されている。特許文献１は、病棟におけるデータカードの実施形態を開示しているが、出願人はこれを通院患者向けに仕様変更したデータカードも製造販売している。
【０００５】
複数の生体情報測定装置に記憶されている、測定された患者の生体情報を、データカードを通じて担当医師のパソコンに読み込ませることにより、患者ＩＤと紐付けられているデータカードを用いて、パソコン上で患者の電子カルテと測定された患者の生体情報を紐づけることが可能になる。担当医師のパソコンにおいて電子カルテと測定された患者の生体情報を紐づけた際、複数の生体情報測定装置にて測定された患者の生体情報が、正確な日時で測定されている必要がある。つまり、マイコンを構成要素とする個々の生体情報測定装置に内蔵されているリアルタイムクロック（Real Time Clock、以下「ＲＴＣ」）が、正確であることが求められる。測定された生体情報に付帯する測定日時が不正確では、担当医師が患者に対し、正しい診断をする際の支障になる。
【０００６】
一方、生体情報測定装置の構成要素であるＲＴＣは、電池の交換等で容易に狂ってしまう。そこで出願人は、インターネットに接続されていることで正確な日時を保っている担当医師のパソコンと、データカードが近距離無線通信を行う際に、データカードがパソコンから正確な日時情報を貰い、ＲＴＣを較正することを発案した。
特許文献２には、このデータカードがパソコンから正確な日時情報を貰ってＲＴＣを較正し、更に生体情報測定装置がデータカードから正確な日時情報を貰ってＲＴＣを較正する技術内容が開示されている。
【先行技術文献】
【特許文献】
【０００７】
【特許文献１】特開２０１５−１８７８０４号公報
【特許文献２】特許第５８７７９０５号公報
【発明の概要】
【発明が解決しようとする課題】
【０００８】
日時情報を計時するＲＴＣは、時間の経過につれて徐々に誤差が大きくなる。特許文献２には、常時ネットワークに接続されていないデータカードと生体情報測定装置のＲＴＣが出力する日時情報が、どの程度正確であるのかを客観的に判断する指標は記載されていない。
【０００９】
本発明はかかる課題を解決し、生体情報転送装置と生体情報測定装置がそれぞれ備えるＲＴＣの信頼性を客観的に判断し、より信頼性の高いＲＴＣの日時情報に較正することで、測定する生体情報に付随する日時情報の信頼性を向上する、生体情報処理システム、生体情報測定装置、生体情報転送装置及び生体情報処理システムにおける時刻同期方法を提供することを目的とする。
【課題を解決するための手段】
【００１０】
上記課題を解決するために、本発明の生体情報処理システムは、患者の生体情報を測定する生体情報測定装置と、生体情報測定装置から生体情報と測定日時情報を受信して所定のホスト装置へ転送する生体情報転送装置とよりなる。
生体情報測定装置は、患者の物理的あるいは化学的状態や性質をアナログ信号として検出するセンサと、センサが出力するアナログ信号をデジタルデータに変換するＡ／Ｄ変換器と、デジタルデータを生体情報に変換する測定データ演算処理部と、日時情報を計時するＲＴＣと、ＲＴＣが出力する測定日時情報と共に生体情報を記憶する測定データメモリとを具備する。更に、生体情報測定装置は、測定データメモリに記憶されている生体情報と測定日時情報を生体情報転送装置へ送信する近距離無線通信部と、生体情報転送装置から生体情報測定装置へ、生体情報測定装置の日時情報が正確であるか否かを示す時刻較正正確度フラグと、生体情報転送装置が正確な日時情報を提供するホスト装置から受信した日時情報によって日時情報を較正した日時である電カル較正日時が記憶される時刻較正情報メモリと、ＲＴＣを指定された日時情報で較正する時刻情報更新処理部とを具備する。
【００１１】
更に、生体情報測定装置は、ＲＴＣから得られる現在日時情報と、時刻較正正確度フラグと電カル較正日時とを、近距離無線通信部を通じて生体情報転送装置に送信すると共に、生体情報転送装置から日時情報と時刻較正正確度フラグと電カル較正日時を受信した場合には、時刻情報更新処理部を通じて生体情報転送装置から受信した日時情報でＲＴＣを較正し、生体情報転送装置から受信した時刻較正正確度フラグと電カル較正日時を時刻較正情報メモリに保存する入出力制御部とを具備する。
【００１２】
また、生体情報転送装置は、生体情報測定装置から生体情報と測定日時情報を受信する近距離無線通信部と、日時情報を計時するＲＴＣと、生体情報測定装置から受信した生体情報と測定日時情報を記憶する測定データメモリと、生体情報転送装置がホスト装置から受信した正確な日時情報によってＲＴＣが較正された時点の日時である電カル較正日時と、生体情報転送装置の日時情報が正確であるか否かを示す時刻較正正確度フラグが記憶される時刻較正情報メモリとを具備する。
【００１３】
更に、生体情報転送装置は、患者を一意に識別する患者ＩＤが記憶されている患者ＩＤメモリと、ＲＴＣを指定された日時情報で較正する時刻情報更新処理部と、生体情報測定装置に対し、生体情報測定装置の時刻較正正確度フラグと電カル較正日時と現在日時情報の送信を要求して、生体情報測定装置から時刻較正正確度フラグと電カル較正日時と現在日時情報を受信する入出力制御部とを具備する。
また、生体情報転送装置は、生体情報測定装置から受信した電カル較正日時と時刻較正正確度フラグと、生体情報転送装置自体の電カル較正日時と時刻較正正確度フラグに基づいて、生体情報転送装置と生体情報測定装置のどちらが時刻を較正すべきであるかを判定する時刻情報判定処理部とを具備する。
【００１４】
そして生体情報転送装置の入出力制御部は、更に、時刻情報判定処理部が、生体情報測定装置が生体情報転送装置の日時情報に較正すべきと判定したら、生体情報転送装置から生体情報測定装置へ、現在日時情報と、生体情報転送装置自体の時刻較正正確度フラグと、生体情報転送装置自体の電カル較正日時を送信し、時刻情報判定処理部が、生体情報転送装置が生体情報測定装置の日時情報に較正すべきと判定したら、生体情報測定装置から受信した日時情報で生体情報転送装置のＲＴＣを較正し、生体情報測定装置から受信した時刻較正正確度フラグにて生体情報転送装置の時刻較正正確度フラグを上書き保存し、生体情報測定装置から受信した電カル較正日時にて生体情報転送装置の電カル較正日時を上書き保存する。
【発明の効果】
【００１５】
本発明により、生体情報転送装置と生体情報測定装置がそれぞれ備えるＲＴＣの信頼性を客観的に判断し、より信頼性の高いＲＴＣの日時情報に較正することで、測定する生体情報に付随する日時情報の信頼性を向上する、生体情報処理システム、生体情報測定装置、生体情報転送装置及び生体情報処理システムにおける時刻同期方法を提供することができる。
上記した以外の課題、構成及び効果は、以下の実施形態の説明により明らかにされる。
【図面の簡単な説明】
【００１６】
【図１】本発明の実施形態の例である生体情報処理システムの概略図である。
【図２】生体情報測定装置のハードウェア構成を示すブロック図である。
【図３】生体情報測定装置のソフトウェア機能を示すブロック図である。
【図４】データカードのハードウェア構成を示すブロック図である。
【図５】データカードのソフトウェア機能を示すブロック図である。
【図６】生体情報測定装置及びデータカードの、全体の処理の流れを示すフローチャートである。
【図７】データカードの、電源投入時初期化処理の流れを示すフローチャートである。
【図８】生体情報測定装置の、電源投入時初期化処理の流れを示すフローチャートである。
【図９】生体情報測定装置の、通常動作処理の流れを示すフローチャートである。
【図１０】データカードの、通常動作処理の流れを示すフローチャートである。
【図１１】生体情報測定装置の、通信処理の流れを示すフローチャートである。
【図１２】データカードの、通信処理の流れを示すフローチャートである。
【図１３】生体情報測定装置とデータカードとの、日時データ送受信のやり取りを示すタイムチャートである。
【図１４】データカードの通常動作時初期化処理の流れを示すフローチャートである。
【図１５】生体情報測定装置の通常動作時初期化処理の流れを示すフローチャートである。
【図１６】データカードの時刻同期処理の流れを示すフローチャートである。
【図１７】データカードと生体情報測定装置の状態に応じた、データカードの時刻同期処理によって行われる処理内容を示す表である。
【図１８】データカードの、第一の時刻等送信処理の流れを示すフローチャートである。
【図１９】データカードの、第二の時刻等送信処理の流れを示すフローチャートである。
【図２０】生体情報測定装置の時刻同期処理の流れを示すフローチャートである。
【図２１】時刻較正処理の一例を示すタイムチャートである。
【図２２】サブ機器最新較正情報リストの一例を示す図である。
【図２３】データカードに表示される、推奨較正機器の表示例を示す図である。
【発明を実施するための形態】
【００１７】
［全体構成］
図１は、本発明の実施形態の例である生体情報処理システム１０１の概略図である。
患者１０２は、日々の生活において、血糖計１０３にて血糖値を測定し、体温計１０４にて体温を測定し、パルスオキシメータ１０５にて経皮的動脈血酸素飽和度（ＳｐＯ２）を測定し、体動量計１０６で体動量を測定し、血圧計１０７で血圧を測定し、体組成計１０８で体重及び体脂肪率等を測定する。
これら、血糖計１０３、体温計１０４、パルスオキシメータ１０５、体動量計１０６、血圧計１０７、体組成計１０８等、患者１０２の生体情報を測定する機器を、生体情報測定装置１０９と総称する。
【００１８】
次に、患者１０２は掛かり付けの病院に通院する直前に、各々の生体情報測定装置１０９に、データカード１１０を近接させて、生体情報測定装置１０９が測定した患者１０２の生体情報をデータカード１１０に転送する。そして、このデータカード１１０を病院に持参する。
患者１０２の担当医師は、患者１０２からデータカード１１０を受け取ると、ホスト装置であるパソコン１１１に接続されたカードリーダ１１２にデータカード１１０を近接させて、データカード１１０に蓄積された患者１０２の生体情報を担当医師のパソコン１１１に転送する。
データカード１１０は、生体情報測定装置１０９に記憶されている生体情報を担当医師のパソコン１１１に転送する、生体情報転送装置ということもできる。
【００１９】
パソコン１１１にはＯＳと、電子カルテプログラムが稼働している。電子カルテプログラムは、データカード１１０を通じてカードリーダ１１２から患者１０２の生体情報を読み取り、パソコン１１１内部の不揮発性ストレージに記憶する。
パソコン１１１はインターネット１１３に接続されている。ＯＳのネットワーク接続機能により、パソコン１１１はインターネット１１３を通じて、ＮＴＰ（Network Time Protocol）サーバ１１４等から正確な日時情報を受け取り、パソコン１１１内部のＲＴＣとＯＳ自身の計時機能を較正する。したがって、パソコン１１１自身はインターネット１１３に接続されている状況において、日時情報の正確性が担保されている。
【００２０】
一方、データカード１１０はパソコン１１１と違い、インターネット１１３に接続されていない。しかし、パソコン１１１と近距離無線通信を行ってパソコン１１１に患者１０２の生体情報を送信する際、併せてパソコン１１１から日時情報を受け取り、データカード１１０内部のＲＴＣを較正することで、ＲＴＣをできるだけ正確に維持することが可能になる。
更に、生体情報測定装置１０９もデータカード１１０と同様に、インターネット１１３に接続されていない。しかし、パソコン１１１から正確な日時情報を貰ってＲＴＣを較正したデータカード１１０と近距離無線通信を行ってデータカード１１０に患者１０２の生体情報を送信する際、併せてデータカード１１０から日時情報を受け取り、生体情報測定装置１０９内部のＲＴＣを較正することで、ＲＴＣをできるだけ正確に維持することが可能になる。
【００２１】
糖尿病患者である患者１０２が通院する間隔は、凡そ数日から数週間程度である。その間、データカード１１０と生体情報測定装置１０９は、パソコン１１１から正確な日時情報を受信できない状態が続く。つまり、データカード１１０と生体情報測定装置１０９は、正確な日時情報を受信した時点から、時間の経過と共にその正確性が低下する。
また、データカード１１０と生体情報測定装置１０９は、一旦電池が抜かれると、内部のＲＴＣの動作が停止する。しかも、データカード１１０と生体情報測定装置１０９には手動の日時較正機能を持たないものが多い。したがって、再び電池を挿入すると、ＲＴＣは再度動作し始めるが、再びパソコン１１１から正確な日時情報を受信するまでは、日時情報が不正確な状態が続く。
【００２２】
もし、データカード１１０と生体情報測定装置１０９がパソコン１１１から正確な日時情報を受信した後、データカード１１０だけ電池を交換した場合、データカード１１０より生体情報測定装置１０９の方が、ＲＴＣが計時する日時情報がより正確であると判断できる。
これより説明する本発明の生体情報処理システム１０１の実施形態では、データカード１１０と生体情報測定装置１０９の相互で、日時情報の正確性を客観的に判断するための指標となる情報を送受信して、より正確な日時情報でＲＴＣを較正する技術が基になっている。
【００２３】
なお、これ以降、各部に使用する名称の中で、データカード１１０を指し示す別称として「メイン機器」とも呼ぶこととする。同様に、生体情報測定装置１０９を指し示す別称として「サブ機器」とも呼ぶこととする。これは、本発明の実施形態に係る生体情報処理システム１０１において、生体情報測定装置１０９のＲＴＣの正確性がデータカード１１０のＲＴＣの正確性に依存する構成であることによる。
【００２４】
［生体情報測定装置１０９：ハードウェア］
図２は、生体情報測定装置１０９のハードウェア構成を示すブロック図である。
電池２０１によって稼働する生体情報測定装置１０９は、ＣＰＵ２０２、ＲＯＭ２０３、ＲＡＭ２０４、液晶ディスプレイ等の表示部２０５、操作ボタン等の操作部２０６、フラッシュメモリ等の不揮発性ストレージ２０７がバス２０８に接続されている。バス２０８にはこの他に、センサ２０９が出力するアナログ電圧信号をデジタルデータに変換するＡ／Ｄ変換器２１０、ＲＴＣ２１１、測定した患者１０２の生体情報をデータカード１１０へ送信すると共にデータカード１１０から較正のための日時情報を送受信する近距離無線通信部２１２、そして電源スイッチ２１３が接続されている。
【００２５】
センサ２０９は、患者１０２の物理的あるいは化学的な状態や性質を、アナログ電圧信号として出力する。例えば、血糖計１０３やパルスオキシメータ１０５であればフォトトランジスタ等の光センサであり、体温計１０４であればサーミスタ等の温度センサである。
近距離無線通信部２１２は、通信対象同士を数ｃｍ以下に近接させて無線通信を行う機能を提供する。例えばＦｅｌｉＣａ（登録商標）やＺｉｇＢｅｅ（登録商標）等が利用可能である。
多くの場合、ＣＰＵ２０２、ＲＯＭ２０３、ＲＡＭ２０４、不揮発性ストレージ２０７、Ａ／Ｄ変換器２１０及びＲＴＣ２１１は周知のワンチップマイコンに内蔵される構成要素であり、ＲＯＭ２０３と不揮発性ストレージ２０７はフラッシュメモリで一体化されている。ＲＯＭ２０３には、マイコンを生体情報測定装置１０９として稼働させるためのプログラムと、後述する日時較正機能を実現するためのプログラムが格納されている。
【００２６】
［生体情報測定装置１０９：ソフトウェア］
図３は、生体情報測定装置１０９のソフトウェア機能を示すブロック図である。
センサ２０９が出力するアナログ電圧信号はＡ／Ｄ変換器２１０によってデジタルデータに変換される。そして、デジタルデータは測定データ演算処理部２２１によって所定の生体情報に変換される。この変換された生体情報は、ＲＴＣ２１１から出力される、生体情報が測定された時点の日時情報（測定日時情報）と共に、入出力制御部２２２の機能である測定データ入出力処理部２２３を通じて、不揮発性ストレージ２０７に設けられる測定データメモリ２２４に記憶される。
【００２７】
測定データメモリ２２４に記憶される生体情報と測定日時情報は、測定データ入出力処理部２２３を通じて、近距離無線通信部２１２からデータカード１１０へ送信される。これら、測定データ演算処理部２２１、測定データメモリ２２４、近距離無線通信部２１２との間の生体情報のやり取りは、測定データ入出力処理部２２３によって行われる。生体情報の測定の際、入出力制御部２２２は、操作部２０６の操作に呼応して様々な機能を実現し、必要に応じて表示部２０５に生体情報の測定の指示や測定値等、種々の情報を表示する。
【００２８】
電源投入時初期化処理部２２５は、電池２０１が挿入されたことに呼応して、最初の１回だけ実行される。この、電源投入時初期化処理部２２５の詳細は図７及び図８にて後述する。
時刻情報更新処理部２２６は、ＲＴＣ２１１をデータカード１１０から受信した日時情報に較正する。
【００２９】
不揮発性ストレージ２０７には、測定データメモリ２２４の他、時刻較正情報メモリ２２７とサブ機器ＩＤメモリ２２８が設けられている。時刻較正情報メモリ２２７には、時刻較正正確度フラグ、サブ機器較正実施日時及び電カル較正日時が記憶される。サブ機器ＩＤメモリ２２８には、サブ機器ＩＤが記憶されている。
入出力制御部２２２は、日時情報の他に、時刻較正正確度フラグ、サブ機器較正実施日時、電カル較正日時及びサブ機器ＩＤを、近距離無線通信部２１２を通じてデータカード１１０との間で送受信する。
【００３０】
時刻較正正確度フラグは、生体情報測定装置１０９のＲＴＣ２１１が正確であるか否かを示すフラグ情報である。より具体的には、生体情報測定装置１０９の時刻較正がデータカード１１０から日時情報を受信することで行われたこと、そして、時刻較正が行われてから経過した現時点までの時間が、時刻較正有効期間内であることを示すフラグ情報である。
生体情報測定装置１０９の中には、マニュアル操作で時刻較正が可能な機器も存在する。しかし、マニュアル操作による時刻較正は、その正確性が担保できない。このため、時刻較正がパソコン１１１からデータカード１１０を経由した通信によって行われたことのみを、時刻較正の正確性が担保できているものと判断する。
【００３１】
また、ＲＴＣ２１１は、時刻較正を行った時点から時間の経過と共に誤差が大きくなる。そこで、ＲＴＣ２１１の誤差を許容できる期間を、全ての生体情報測定装置１０９とデータカード１１０で共通に定めることとした。本発明の実施形態では、この時刻較正有効期間を３０日と定めている。勿論、この３０日は一例であり、ＲＴＣ２１１の正確性や患者１０２の通院傾向等を考慮して、任意の期間に変更してもよい。但し、全ての生体情報測定装置１０９とデータカード１１０の時刻較正有効期間が等しく設定されていなければならない。
【００３２】
サブ機器較正実施日時は、生体情報測定装置１０９（サブ機器）がデータカード１１０（メイン機器）の日時情報でＲＴＣ２１１を較正した時の日時情報である。
また、電カル較正日時は、生体情報測定装置１０９（サブ機器）がデータカード１１０（メイン機器）の日時情報でＲＴＣ２１１を較正した際の、データカード１１０が電子カルテシステムで用いられるパソコン１１１の日時情報で較正した時の日時情報である。
サブ機器ＩＤは、工場の製造工程等において付与される、生体情報測定装置１０９（サブ機器）を一意に識別するためのＩＤ情報である。また、このサブ機器ＩＤには、生体情報測定装置１０９の種別を示す情報も含まれる。
【００３３】
例えば、２０１６年１０月１日１０時３５分に、データカード１１０が担当医師のパソコン１１１から正確な日時情報を受信すると、データカード１１０は自身のＲＴＣを２０１６年１０月１日１０時３５分に較正する。そして、電カル較正日時として「２０１６年１０月１日１０時３５分」を記憶して、時刻較正正確度フラグとして論理の真（True）を設定する。
【００３４】
また、２０１６年１０月２日９時３０分に、生体情報測定装置１０９がデータカード１１０から日時情報を受信すると、生体情報測定装置１０９は自身のＲＴＣを２０１６年１０月２日９時３０分に較正する。但し、この較正が行われるのは、時刻較正正確度フラグが論理の偽（False）である場合に限られる。このとき、サブ機器較正実施日時として「２０１６年１０月２日９時３０分」を記憶し、更に電カル較正日時として「２０１６年１０月１日１０時３５分」を記憶する。そして、時刻較正正確度フラグとして論理の真（True）を設定する。
【００３５】
［データカード１１０：ハードウェア］
図４は、データカード１１０のハードウェア構成を示すブロック図である。
データカード１１０と生体情報測定装置１０９とのハードウェア上における相違点は、データカード１１０にはセンサ２０９とＡ／Ｄ変換器２１０がないことである。また、ＲＯＭ２０３には、マイコンをデータカード１１０として稼働させるためのプログラムと、後述する日時較正機能を実現するためのプログラムが格納されている。それ以外にハードウェア上における顕著な相違点はなく、各々のブロックが有する機能は図２に示した生体情報測定装置１０９と実質的に等しいので、同じ符号を付して、詳細な説明は割愛する。
【００３６】
［データカード１１０：ソフトウェア］
図５は、データカード１１０のソフトウェア機能を示すブロック図である。
データカード１１０のソフトウェア機能が、生体情報測定装置１０９のソフトウェア機能と相違する点は以下の通りである。
・センサ２０９とＡ／Ｄ変換器２１０と測定データ演算処理部２２１がないこと、
・患者ＩＤメモリ３０１を設けたこと、
・生体情報測定装置１０９の測定データメモリ２２４とは異なる機能を持つ測定データメモリ３０２を設けたこと、
・生体情報測定装置１０９の時刻較正情報メモリ２２７とは異なる機能を持つ時刻較正情報メモリ３０７を設けたこと、
・入出力制御部３０５に、測定データ入出力処理部３０３，時刻情報判定処理部３０４
及び電源投入時の初期化処理部３０６が設けられること。
【００３７】
患者ＩＤメモリ３０１には、患者１０２を一意に識別する患者ＩＤが記憶されており、測定データメモリ３０２には、複数の生体情報測定装置１０９から受信した患者１０２の生体情報が記憶されている。
また、時刻較正情報メモリ３０７には、生体情報測定装置１０９の時刻較正情報メモリ２２７にあったサブ機器較正実施日時がない代わりに、データカード１１０と通信を行った全ての生体情報測定装置１０９の時刻較正情報メモリ２２７の情報を記憶した、サブ機器最新較正情報リストが記憶されている。
【００３８】
入出力制御部３０５の測定データ入出力処理部３０３は、近距離無線通信部２１２を通じて生体情報測定装置１０９から患者１０２の生体情報を測定データメモリ３０２へ記憶し、近距離無線通信部２１２を通じて測定データメモリ３０２から患者１０２の生体情報を担当医師のパソコン１１１へ転送する。
【００３９】
時刻情報判定処理部３０４は、近距離無線通信部２１２を通じて生体情報測定装置１０９と、日時情報とこれに付随する情報の送受信を行い、相手側と自分とのどちらがより正確性が高い日時情報であるかを判定する。そして、時刻情報判定処理部３０４が、相手側の日時情報がより正確であると判定した場合、時刻情報更新処理部２２６はＲＴＣ２１１を受信した日時情報に較正する。また、時刻情報判定処理部３０４が、自分側の日時情報がより正確であると判定した場合、入出力制御部３０５は現在日時データを相手側機器へ送信する。
【００４０】
電源投入時の初期化処理部３０６は、所定の条件において表示部２０５に、生体情報測定装置１０９と時刻較正のための通信を要求する旨のメッセージを表示する。なお、表示部２０５に表示する表示内容や、操作部２０６の形態や操作情報等が異なることもあるが、発明の主旨とは余り関係がないので詳細な説明は割愛する。また、サブ機器最新較正情報リストの詳細は図２２にて後述する。
【００４１】
なお、図５に示すデータカード１１０は、データカード１１０を一意に識別するための機器ＩＤを持っているが、生体情報測定装置１０９のサブ機器ＩＤメモリ２２８に記憶されるサブ機器ＩＤとは異なり、本発明の実施形態には直接的に関係しないので、ここでは説明を省略する。
【００４２】
［生体情報測定装置１０９及びデータカード１１０：全体の処理］
これより、図６から図２０にかけて、生体情報測定装置１０９とデータカード１１０におけるソフトウェアの処理の流れを説明する。
図６は、生体情報測定装置１０９及びデータカード１１０の、全体の処理の流れを示すフローチャートである。ここでは、データカード１１０を対象として説明するが、生体情報測定装置１０９も全く同じ処理である。
電池２０１が図示しない電池ホルダに挿入され、ＣＰＵ２０２がＲＯＭ２０３からプログラムを読み込み、実行を開始すると（Ｓ６０１）、先ず、入出力制御部３０５は電源投入時初期化処理を実行する（Ｓ６０２）。
【００４３】
ステップＳ６０２を実行した後、データカード１１０はスタンバイ状態に移行する。そして、電源スイッチ２１３が長押しされたか否かを確認する（Ｓ６０３）。電源スイッチ２１３が長押しされていなければ（Ｓ６０４のＮＯ）、電源スイッチ２１３の監視を続ける（Ｓ６０３）。
スタンバイ状態とは、ワンチップマイコンに内蔵される図示しないシステムクロックの周波数を大幅に低下させ、生体情報測定装置１０９におけるＡ／Ｄ変換器２１０、表示部２０５、操作部２０６に対する電源供給を止め、電源スイッチ２１３が押されたか否かだけを見る、極めて電力消費が少ない状態である。外見的には電源オフの状態に見えるが、入出力制御部３０５の動作は停止してはおらず、電源スイッチ２１３を長押しすることで、通常状態に移行する。
【００４４】
電源スイッチ２１３が長押しされたならば（Ｓ６０４のＹＥＳ）、入出力制御部３０５は通常動作状態に移行し、通常動作処理を実行する（Ｓ６０５）。通常動作処理が終了したら、入出力制御部３０５は再びスタンバイ状態に移行し、電源スイッチ２１３の監視を継続する（Ｓ６０３）。
図６のフローチャートを見るとわかるように、この処理は電池２０１が抜かれるか、電池２０１が消耗して電源供給が断たれるまで、処理は永遠に継続する。
【００４５】
図７は、データカード１１０の、電源投入時初期化処理の流れを示すフローチャートである。図６のステップＳ６０２の詳細である。
処理を開始すると（Ｓ７０１）、入出力制御部３０５は時刻情報更新処理部２２６を通じて、ＲＴＣ２１１の初期化処理を実行する（Ｓ７０２）。この処理によって、ＲＴＣ２１１は強制的に初期化時間に初期化される。初期化時間とは例えば、ＰＯＳＩＸ時間（１９７０年１月１日０時０分ＧＭＴ）や、予め定めた所定の日時（２０００年１月１日０時０分ＪＳＴ）等である。
次に入出力制御部３０５は、時刻較正情報メモリ３０７に記憶される電カル較正日時を０時間０分０秒に、時刻較正正確度フラグを論理の偽（False）に初期化して（Ｓ７０３）、一連の処理を終了する（Ｓ７０４）。
【００４６】
図８は、生体情報測定装置１０９の、電源投入時初期化処理の流れを示すフローチャートである。図６のステップＳ６０２の詳細である。
処理を開始すると（Ｓ８０１）、入出力制御部２２２は時刻情報更新処理部２２６を通じて、ＲＴＣ２１１の初期化処理を実行する（Ｓ８０２）。この初期化処理は図７のステップＳ７０２と同様である。
次に入出力制御部２２２は、時刻較正情報メモリ２２７に記憶される電カル較正日時を０時間０分０秒に、サブ機器較正実施日時を０時間０分０秒に、時刻較正正確度フラグを論理の偽（False）に初期化して（Ｓ８０３）、一連の処理を終了する（Ｓ８０４）。
【００４７】
つまり、データカード１１０の電源投入時初期化処理と、生体情報測定装置１０９の電源投入時初期化処理の相違点は、生体情報測定装置１０９にはサブ機器較正実施日時を初期化する処理がある、という点である。
【００４８】
［生体情報測定装置１０９：通常動作処理］
図９は、生体情報測定装置１０９の、通常動作処理の流れを示すフローチャートである。図６のステップＳ６０５の、生体情報測定装置１０９における詳細である。
処理を開始すると（Ｓ９０１）、入出力制御部２２２は通常動作時における初期化処理を実行した後（Ｓ９０２）、操作部２０６から得られる操作情報と、近距離無線通信部２１２から得られる通信情報を監視する（Ｓ９０３）。
入出力制御部２２２は先ず、近距離無線通信部２１２が有効な通信相手との通信が可能な状態にあるか否かを確認する（Ｓ９０４）。そして、近距離無線通信部２１２が有効な通信相手との通信が可能な状態にあることを検出したら（Ｓ９０４のＹＥＳ）、入出力制御部２２２は通信処理を実行する（Ｓ９０５）。そして、再び操作部２０６から得られる操作情報と、近距離無線通信部２１２から得られる通信情報を監視する（Ｓ９０３）。
【００４９】
ステップＳ９０４において、近距離無線通信部２１２が有効な通信相手を検出できなかったら（Ｓ９０４のＮＯ）、次に入出力制御部２２２は、操作部２０６から得られる操作情報が生体情報の測定を実行することを示す情報であるか否かを確認する（Ｓ９０６）。そして、操作部２０６から得られる操作情報が生体情報の測定を実行することを示す情報であるならば（Ｓ９０６のＹＥＳ）、入出力制御部２２２は測定処理を実行する（Ｓ９０７）。そして、再び操作部２０６から得られる操作情報と、近距離無線通信部２１２から得られる通信情報を監視する（Ｓ９０３）。
【００５０】
ステップＳ９０６において、操作部２０６から得られる操作情報が生体情報の測定を実行することを示す情報でなかったら（Ｓ９０６のＮＯ）、次に入出力制御部２２２は、電源スイッチ２１３が長押しされたか否かを確認する（Ｓ９０８）。そして、電源スイッチ２１３が長押しされたならば（Ｓ９０８のＹＥＳ）、入出力制御部２２２は通常動作状態からスタンバイ状態に移行するための所定の終了処理を実行した後（Ｓ９０９）、一連の処理を終了する（Ｓ９１０）
【００５１】
。
ステップＳ９０８において、電源スイッチ２１３が長押しされていないならば（Ｓ９０８のＮＯ）、次に入出力制御部２２２は、操作部２０６または近距離無線通信部２１２から有効な情報の入出力がない状態で所定の時間が経過したか否か、すなわち所定の時間以上放置されたか否か（タイムアウト）を確認する（Ｓ９１１）。そして、所定の時間以上放置されたならば（Ｓ９１１のＹＥＳ）、入出力制御部２２２は通常動作状態からスタンバイ状態に移行するための所定の終了処理を実行した後（Ｓ９０９）、一連の処理を終了する（Ｓ９１０）。
ステップＳ９１１において、所定の時間以上放置されたのでなければ（Ｓ９１１のＮＯ）、入出力制御部２２２は再び操作部２０６から得られる操作情報と、近距離無線通信部２１２から得られる通信情報を監視する（Ｓ９０３）。
【００５２】
［データカード１１０：通常動作処理］
図１０は、データカード１１０の、通常動作処理の流れを示すフローチャートである。図６のステップＳ６０５の、データカード１１０における詳細である。
データカード１１０の、生体情報測定装置１０９との、通常動作処理における相違点は、ステップＳ１００２の、通常動作時における初期化処理に、データカード１１０にのみ特有の処理が含まれることと、図９におけるステップＳ９０６及びＳ９０７に示す測定処理がないことである。これ以外は図９の処理内容と全く同じであるので、詳細は割愛する。なお、ステップＳ１００２の詳細は図１４にて後述する。
図９と図１０の、フローチャートの符号の対応関係を以下に記す。
図９のステップＳ９０１は図１０のステップＳ１００１に、ステップＳ９０２はステップＳ１００２に、ステップＳ９０３はステップＳ１００３に、ステップＳ９０４はステップＳ１００４に、ステップＳ９０５はステップＳ１００５に、ステップＳ９０８はステップＳ１００６に、ステップＳ９０９はステップＳ１００７に、ステップＳ９１０はステップＳ１００８に、ステップＳ９１１はステップＳ１００９に、それぞれ対応する。
【００５３】
［生体情報測定装置１０９：通信処理］
図１１は、生体情報測定装置１０９の、通信処理の流れを示すフローチャートである。図９のステップＳ９０５の詳細である。
処理を開始すると（Ｓ１１０１）、入出力制御部２２２は最初に、通信相手との通信を確立する処理を実行する（Ｓ１１０２）。
次に入出力制御部２２２は、測定データ入出力処理部２２３を通じて、測定データメモリ２２４に記憶されている患者１０２の生体情報を、通信相手へ送信する（Ｓ１１０３）。
その後、入出力制御部２２２は通信相手との時刻同期処理を実行して（Ｓ１１０４）、一連の処理を終了する（Ｓ１１０５）。
【００５４】
［データカード１１０：通信処理］
図１２は、データカード１１０の、通信処理の流れを示すフローチャートである。図１０のステップＳ１００５の詳細である。
処理を開始すると（Ｓ１２０１）、入出力制御部３０５は最初に、通信相手との通信を確立する処理を実行する（Ｓ１２０２）。この時点までは生体情報測定装置１０９と処理が同じであるが、データカード１１０はこれ以降の処理内容が異なる。
次に入出力制御部３０５は、通信相手がサブ機器、すなわち生体情報測定装置１０９であるか、あるいは担当医師のパソコン１１１、すなわち常時正確な日時情報を有するホスト装置であるかを確認する（Ｓ１２０３）。
ステップＳ１２０３で、通信相手がサブ機器であるならば（Ｓ１２０３のＹＥＳ）、入出力制御部３０５は測定データ入出力処理部３０３を通じて、サブ機器から測定データを受信する処理を実行する（Ｓ１２０４）。次に入出力制御部３０５は、サブ機器との時刻同期処理を実行して（Ｓ１２０５）、一連の処理を終了する（Ｓ１２０６）。
【００５５】
ステップＳ１２０３で、通信相手が常時正確な日時情報を有するホスト装置であるならば（Ｓ１２０３のＮＯ）、入出力制御部３０５は測定データ入出力処理部３０３を通じて、ホスト装置に対して測定データを送信する処理を実行する（Ｓ１２０７）。次に入出力制御部３０５は、ホスト装置から日時データを受信する処理を実行し（Ｓ１２０８）、時刻情報更新処理部２２６を通じて、受信した日時データでＲＴＣ２１１を較正する（Ｓ１２０９）。そして入出力制御部３０５は、時刻較正情報メモリ３０７に記憶される時刻較正正確度フラグを論理の真（True）に設定する。更に、時刻較正情報メモリ３０７に記憶される電カル較正日時を受信した日時データで設定して（Ｓ１２１０）、一連の処理を終了する（Ｓ１２０６）。
【００５６】
［生体情報測定装置１０９とデータカード１１０との、日時データ送受信の流れ］
図１３Ａは、生体情報測定装置１０９とデータカード１１０との、時刻同期を実施しない場合における、日時データ送受信のやり取りを示すタイムチャートである。
図１３Ｂは、生体情報測定装置１０９とデータカード１１０との、時刻同期判定処理以降の、生体情報測定装置１０９がＲＴＣ２１１の較正を実施する場合における、日時データ送受信のやり取りを示すタイムチャートである。
図１３Ｃは、生体情報測定装置１０９とデータカード１１０との、時刻同期判定処理以降の、データカード１１０がＲＴＣ２１１の較正を実施する場合における、日時データ送受信のやり取りを示すタイムチャートである。
図１３Ｂ及び図１３Ｃにおいて、一点鎖線で区切られる以前の処理は、図１３Ａと共通する。
【００５７】
図１３Ａにおいて、先ず、生体情報測定装置１０９とデータカード１１０は、通信確立処理と測定データ送受信処理を実行する（Ｓ１３０１）。このステップＳ１３０１は、図１１のステップＳ１１０２及びＳ１１０３、図１２のステップＳ１２０２及びＳ１２０４に相当する。
次に、データカード１１０は生体情報測定装置１０９に対し、時刻較正情報メモリ２２７に記憶されているサブ機器最新較正情報（時刻較正正確度フラグ、サブ機器較正実施日時、電カル較正日時）を要求する（Ｓ１３０２）。生体情報測定装置１０９はこの要求を受信すると、サブ機器最新較正情報と、生体情報測定装置１０９のＲＴＣ２１１が計時する現在日時情報をデータカード１１０へ送信する（Ｓ１３０３）。データカード１１０は生体情報測定装置１０９からサブ機器最新較正情報と現在日時情報を受信すると（Ｓ１３０４）、時刻同期判定処理を実行する（Ｓ１３０５）。
【００５８】
ステップＳ１３０５における時刻同期判定処理の結果、データカード１１０と生体情報測定装置１０９の双方共に、時刻同期すべきでないと判断した場合は、データカード１１０は生体情報測定装置１０９に対し、時刻同期を実施しない旨の通知を送信して、通信処理を終了する（Ｓ１３０６）。生体情報測定装置１０９は、データカード１１０から時刻同期を実施しない旨の通知を受信すると、その時点で通信処理を終了する（Ｓ１３０７）。
【００５９】
図１３Ｂにおいて、ステップＳ１３０５における時刻同期判定処理の結果、生体情報測定装置１０９がデータカード１１０のＲＴＣ２１１に時刻同期すべきであると判断した場合は、データカード１１０は生体情報測定装置１０９に対し、現在日時データと、電カル較正日時と、時刻較正正確度フラグを送信して、通信処理を終了する（Ｓ１３０８）。
一方、生体情報測定装置１０９は、データカード１１０から現在日時データと、電カル較正日時と、時刻較正正確度フラグを受信すると（Ｓ１３０９）、ＲＴＣ２１１を較正し、電カル較正日時と、サブ機器較正実施日時と、時刻較正正確度フラグを更新して、通信処理を終了する（Ｓ１３１０）。
【００６０】
図１３Ｃにおいて、ステップＳ１３０５における時刻同期判定処理の結果、データカード１１０が生体情報測定装置１０９のＲＴＣ２１１に時刻同期すべきであると判断した場合は、データカード１１０は、ステップＳ１３０４にて生体情報測定装置１０９から受信したサブ機器最新較正情報と現在日時情報に基づいて、ＲＴＣ２１１を較正し、電カル較正日時と時刻較正正確度フラグを更新する（Ｓ１３１１）。そして、データカード１１０は生体情報測定装置１０９に対し、一連の通信が終了したことを通知する（Ｓ１３１２）。生体情報測定装置１０９は、この通信終了の通知を受信して（Ｓ１３１３）、通信処理を終了する。
【００６１】
［データカード１１０の通常動作時初期化処理］
図１４は、データカード１１０の通常動作時初期化処理の流れを示すフローチャートである。図１０のステップＳ１００２の詳細である。
処理を開始すると（Ｓ１４０１）、入出力制御部３０５は、時刻較正情報メモリ３０７に記憶されている電カル較正日時がリセットされているか否か、すなわち電池２０１が抜かれて生体情報測定装置１０９やパソコン１１１によってＲＴＣ２１１を較正していないか否かを確認する（Ｓ１４０２）。
電カル較正日時がリセットされていれば（Ｓ１４０２のＹＥＳ）、入出力制御部３０５は、時刻較正情報メモリ３０７に記憶されているサブ機器最新較正情報リストの各レコードに優先順位を付与する（Ｓ１４０３）。そして、この優先順位に基づいて、メッセージ表示処理を実行して（Ｓ１４０４）、一連の処理を終了する（Ｓ１４０５）。
【００６２】
ステップＳ１４０２において、電カル較正日時がリセットされていなければ（Ｓ１４０２のＮＯ）、入出力制御部３０５は次に現在の日時が電カル較正日時から時刻較正有効期間である３０日を経過したか否かを確認する（Ｓ１４０６）。
現在の日時が電カル較正日時から３０日を経過したのであれば（Ｓ１４０６のＹＥＳ）、入出力制御部３０５は時刻較正正確度フラグを論理の偽（False）に設定して（Ｓ１４０７）、一連の処理を終了する（Ｓ１４０５）。
現在の日時が電カル較正日時から３０日を経過していないのであれば（Ｓ１４０６のＮＯ）、入出力制御部３０５はこのまま何もせずに一連の処理を終了する（Ｓ１４０５）。
【００６３】
［生体情報測定装置１０９の通常動作時初期化処理］
図１５は、生体情報測定装置１０９の通常動作時初期化処理の流れを示すフローチャートである。図９のステップＳ９０２の詳細である。
図１５を一目見て判るように、生体情報測定装置１０９の通常動作時初期化処理は、図１４に示したデータカード１１０の通常動作時初期化処理から、ステップＳ１４０２、Ｓ１４０３及びＳ１４０４の処理をなくして、ステップＳ１４０６及びＳ１４０７を残したものである。ステップＳ１５０２は図１４のステップＳ１４０６に、ステップＳ１５０３は図１４のステップＳ１４０７に、それぞれ対応する。
【００６４】
［データカード１１０の時刻同期処理］
図１６は、データカード１１０の時刻同期処理の流れを示すフローチャートである。図１２のステップＳ１２０５の詳細である。
処理を開始すると（Ｓ１６０１）、入出力制御部３０５は近距離無線通信部２１２を通じて、生体情報測定装置１０９に対し、サブ機器最新較正情報を要求する（Ｓ１６０２）。そして、生体情報測定装置１０９からサブ機器最新較正情報と、生体情報測定装置１０９のＲＴＣ２１１が計時する現在日時情報の受信を待つ（Ｓ１６０３）。この処理は、サブ機器最新較正情報の受信が完了するまで続けられる（Ｓ１６０４のＮＯ）。
【００６５】
生体情報測定装置１０９からサブ機器最新較正情報と現在日時情報の受信が完了したら（Ｓ１６０４のＹＥＳ）、時刻情報判定処理部３０４は、データカード１１０自身と生体情報測定装置１０９の双方共に電池が交換されたか否かを確認する（Ｓ１６０５）。
データカード１１０自身と生体情報測定装置１０９の双方共に電池が交換されたならば（Ｓ１６０５のＹＥＳ）、時刻情報判定処理部３０４は、データカード１１０と生体情報測定装置１０９の双方共に、時刻同期すべきでないと判断する。そこで入出力制御部３０５は、近距離無線通信部２１２を通じて、生体情報測定装置１０９に対し、時刻同期を実施しない旨の通知を送信して（Ｓ１６０６）、通信処理を終了する（Ｓ１６０７）。
このステップＳ１６０７は、図１３ＡのステップＳ１３０６に相当する。
【００６６】
ステップＳ１６０５において、データカード１１０自身と生体情報測定装置１０９の双方共に電池が交換されていないならば（Ｓ１６０５のＮＯ）、次に時刻情報判定処理部３０４は、データカード１１０自身（メイン機器）の電池が交換されたか否かを確認する（Ｓ１６０８）。
データカード１１０自身（メイン機器）の電池が交換されたのであれば（Ｓ１６０８のＹＥＳ）、この時点ではメイン機器は電池が交換されているが、サブ機器、すなわち生体情報測定装置１０９は電池が交換されていない、という状態である。そこで、時刻情報判定処理部３０４は次にサブ機器のＲＴＣ２１１の正確性を検証する。
【００６７】
時刻情報判定処理部３０４は、生体情報測定装置１０９から受信したサブ機器最新較正情報に含まれている、生体情報測定装置１０９の時刻較正正確度フラグが論理の真（True）であるか否かを確認する（Ｓ１６０９）。生体情報測定装置１０９の時刻較正正確度フラグが論理の真（True）であれば（Ｓ１６０９のＹＥＳ）、時刻情報判定処理部３０４は時刻情報更新処理部２２６に時刻較正処理を実行させる。具体的には、ＲＴＣ２１１をステップＳ１６０３の時点で生体情報測定装置１０９から受信した日時情報で較正し、電カル較正日時をステップＳ１６０３の時点で生体情報測定装置１０９から受信した電カル較正日時で上書きする。更に、時刻較正正確度フラグをステップＳ１６０３の時点で生体情報測定装置１０９から受信した時刻較正正確度フラグ（論理の真（True））で上書きする（Ｓ１６１０）。そして、入出力制御部３０５は生体情報測定装置１０９に対し、通信の終了を通知するメッセージを送信して（Ｓ１６１１）、通信処理を終了する（Ｓ１６０７）。
このステップＳ１６１０は図１３ＣのステップＳ１３１１に、ステップＳ１６１１は図１３ＣのステップＳ１３１２に、それぞれ相当する。
【００６８】
ステップＳ１６０９において、生体情報測定装置１０９の時刻較正正確度フラグが論理の真（True）であることは、生体情報測定装置１０９のＲＴＣ２１１がデータカード１１０のＲＴＣ２１１で時刻較正処理を行い、且つ、生体情報測定装置１０９における電カル較正日時から時刻較正有効期間である３０日を経過していないことを表している。したがって、データカード１１０のＲＴＣ２１１を生体情報測定装置１０９のＲＴＣ２１１が計時する日時情報で較正することで、データカード１１０は電池を交換した以前の状態に復帰することが可能になる。
【００６９】
ステップＳ１６０９において、生体情報測定装置１０９の時刻較正正確度フラグが論理の偽（False）であれば（Ｓ１６０９のＮＯ）、時刻情報判定処理部３０４は、データカード１１０と生体情報測定装置１０９の双方共に、時刻同期すべきでないと判断する。そこで入出力制御部３０５は、近距離無線通信部２１２を通じて、生体情報測定装置１０９に対し、時刻同期を実施しない旨の通知を送信して（Ｓ１６０６）、通信処理を終了する（Ｓ１６０７）。
【００７０】
ステップＳ１６０８において、データカード１１０自身の電池が交換されていないのであれば（Ｓ１６０８のＮＯ）、次に時刻情報判定処理部３０４は、データカード１１０の時刻較正正確度フラグが論理の真（True）であるか否かを確認する（Ｓ１６１２）。
このステップＳ１６１２の時点では、（１）生体情報測定装置１０９（サブ機器）は電池交換されているが、データカード１１０（メイン機器）は電池交換されていない場合と、（２）生体情報測定装置１０９とデータカード１１０の両方共に電池交換されていない場合の２通りが該当する。何れの場合も、データカード１１０は電池交換されていない状態であるので、データカード１１０の電カル較正日時にはパソコン１１１によって時刻較正を実施した日時情報が記憶されている。そこで、データカード１１０のＲＴＣ２１１が正確であるのか、すなわち電カル較正日時から時刻較正有効期間である３０日を経過していないのかを、時刻較正正確度フラグで確認する。
【００７１】
ステップＳ１６１２において、データカード１１０の時刻較正正確度フラグが論理の真（True）であるならば（Ｓ１６１２のＹＥＳ）、時刻情報判定処理部３０４は、生体情報測定装置１０９の時刻較正正確度フラグが論理の真（True）であるか否かを確認する（Ｓ１６１３）。生体情報測定装置１０９の時刻較正正確度フラグが論理の偽（False）であるならば（Ｓ１６１３のＮＯ）、入出力制御部３０５は第一の時刻等送信処理を実行して（Ｓ１６１４）、通信処理を終了する（Ｓ１６０７）。
【００７２】
ステップＳ１６１３において、生体情報測定装置１０９の時刻較正正確度フラグが論理の真（True）であるならば（Ｓ１６１３のＹＥＳ）、時刻情報判定処理部３０４は、データカード１１０と生体情報測定装置１０９の双方共に、時刻同期すべきでないと判断する。そこで入出力制御部３０５は、近距離無線通信部２１２を通じて、生体情報測定装置１０９に対し、時刻同期を実施しない旨の通知を送信して（Ｓ１６０６）、通信処理を終了する（Ｓ１６０７）。
【００７３】
ステップＳ１６１２において、データカード１１０の時刻較正正確度フラグが論理の偽（False）であるならば（Ｓ１６１２のＮＯ）、時刻情報判定処理部３０４は、生体情報測定装置１０９から受信した、生体情報測定装置１０９のＲＴＣ２１１が計時する現在日時情報から、データカード１１０のＲＴＣ２１１が計時する現在日時情報を減算して、生体情報測定装置１０９とデータカード１１０との相互時間差を算出する。そして、この相互時間差が３分以上であるか否かを確認する（Ｓ１６１５）。相互時間差が３分以上であるならば（Ｓ１６１５のＹＥＳ）、入出力制御部３０５は第二の時刻等送信処理を実行して（Ｓ１６１６）、通信処理を終了する（Ｓ１６０７）。
なお、ステップＳ１６１５における、第二の時刻等送信処理を実行するか否かの判断の指標となる相互時間差は、時刻較正有効期間の３０日と同様、ＲＴＣ２１１の正確性や患者１０２の通院傾向等を考慮して、任意の時間に変更してもよい。
【００７４】
ステップＳ１６１５において、相互時間差が３分未満であるならば（Ｓ１６１５のＮＯ）、時刻情報判定処理部３０４は、データカード１１０と生体情報測定装置１０９の双方共に、時刻同期すべきでないと判断する。そこで入出力制御部３０５は、近距離無線通信部２１２を通じて、生体情報測定装置１０９に対し、時刻同期を実施しない旨の通知を送信して（Ｓ１６０６）、通信処理を終了する（Ｓ１６０７）。
【００７５】
図１７は、データカード１１０と生体情報測定装置１０９の状態に応じた、データカード１１０の時刻同期処理によって行われる処理内容を示す表である。
データカード１１０（メイン機器）の時刻較正正確度フラグが論理の真（True）である場合、生体情報測定装置１０９（サブ機器）の時刻較正正確度フラグが論理の真（True）であれば、時刻情報更新処理部２２６は何もしない、すなわち時刻較正中断処理を実施する（図１６のステップＳ１６０６）。
なお、データカード１１０と生体情報測定装置１０９の時刻較正正確度フラグが共に論理の真（True）であっても、データカード１１０の電カル較正日時が生体情報測定装置１０９の電カル較正日時よりも新しい場合には、入出力制御部３０５は第一の時刻等送信処理を実行するようにしてもよい。
【００７６】
データカード１１０（メイン機器）の時刻較正正確度フラグが論理の真（True）である場合、生体情報測定装置１０９（サブ機器）の時刻較正正確度フラグが論理の偽（False）であれば、入出力制御部３０５は第一の時刻等送信処理を実行する（図１６のステップＳ１６１４）。この時、生体情報測定装置１０９の時刻較正正確度フラグは論理の真（True）に設定される。
【００７７】
データカード１１０の時刻較正正確度フラグが論理の偽（False）であり、かつ、データカード１１０は電池２０１を交換した状態である場合、生体情報測定装置１０９の時刻較正正確度フラグが論理の真（True）であれば、時刻情報更新処理部２２６は時刻較正処理を実施する（図１６のステップＳ１６１０）。この時、データカード１１０の時刻較正正確度フラグは論理の真（True）に設定される。
【００７８】
データカード１１０の時刻較正正確度フラグが論理の偽（False）であり、かつ、データカード１１０は電池２０１を交換していない状態である場合、生体情報測定装置１０９の時刻較正正確度フラグが論理の偽（False）であり、かつ、データカード１１０と生体情報測定装置１０９との相互時間差が３分未満であれば、時刻情報更新処理部２２６は何もしない、すなわち時刻較正中断処理を実施する（図１６のステップＳ１６０６）。
【００７９】
データカード１１０の時刻較正正確度フラグが論理の偽（False）であり、かつ、データカード１１０は電池２０１を交換していない状態である場合、生体情報測定装置１０９の時刻較正正確度フラグが論理の偽（False）であり、かつ、データカード１１０と生体情報測定装置１０９との相互時間差が３分以上であれば、入出力制御部３０５は第二の時刻等送信処理を実行する（図１６のステップＳ１６１６）。この時、生体情報測定装置１０９の時刻較正正確度フラグは論理の偽（False）に設定される。
【００８０】
データカード１１０の時刻較正正確度フラグが論理の偽（False）であり、かつ、データカード１１０は電池２０１を交換した状態である場合、生体情報測定装置１０９の時刻較正正確度フラグが論理の偽（False）であれば、時刻情報更新処理部２２６は何もしない、すなわち時刻較正中断処理を実施する（図１６のステップＳ１６０６）。
【００８１】
なお、図１７では、データカード１１０の時刻較正正確度フラグが論理の偽（False）であり、かつ、データカード１１０は電池２０１を交換していない状態である場合に、生体情報測定装置１０９の時刻較正正確度フラグが論理の真（True）である状態における処理内容は明記していない。これは、このような状況に至る可能性が低く、仮にそのような状況に至ったとしても、直ぐに生体情報測定装置１０９の時刻較正正確度フラグが論理の偽（False）に転換するからである。
【００８２】
［データカード１１０の第一の時刻等送信処理］
図１８は、データカード１１０の、第一の時刻等送信処理の流れを示すフローチャートである。図１６のステップＳ１６１４の詳細である。また、図２０で後述する生体情報測定装置１０９においても同じ処理を実行する。
処理を開始すると（Ｓ１８０１）、入出力制御部３０５は、生体情報測定装置１０９に送信するための時刻較正正確度フラグを論理の真に設定する（Ｓ１８０２）。そして、入出力制御部３０５は現在日時、電カル較正日時、時刻較正正確度フラグを生体情報測定装置１０９に送信して（Ｓ１８０３）、一連の処理を終了する（Ｓ１８０４）。
【００８３】
［データカード１１０の第二の時刻等送信処理］
図１９は、データカード１１０の、第二の時刻等送信処理の流れを示すフローチャートである。図１６のステップＳ１６１６の詳細である。
図１９に示す第二の時刻等送信処理の、図１８における第一の時刻等送信処理との相違点は、ステップＳ１９０２で、入出力制御部３０５が、生体情報測定装置１０９に送信するための時刻較正正確度フラグを論理の偽（False）に設定する点である。これ以外は第一の時刻等送信処理と同じである。
【００８４】
［生体情報測定装置１０９の時刻同期処理］
図２０は、生体情報測定装置１０９の時刻同期処理の流れを示すフローチャートである。図１１のステップＳ１１０４の詳細である。
処理を開始すると（Ｓ２００１）、入出力制御部２２２は近距離無線通信部２１２を通じて、データカード１１０に対し、サブ機器最新較正情報と現在日時情報の送信要求を待つ（Ｓ２００２）。この処理は、サブ機器最新較正情報と現在日時情報の送信要求の受信が完了するまで続けられる（Ｓ２００３のＮＯ）。
データカード１１０からサブ機器最新較正情報と現在日時情報の送信要求を受信できたら（Ｓ２００３のＹＥＳ）、入出力制御部２２２は近距離無線通信部２１２を通じて、サブ機器最新較正情報と現在日時情報を送信する（Ｓ２００４）。
そして入出力制御部２２２は、データカード１１０から指示を待つ（Ｓ２００５）。この処理は、データカード１１０から所定の指示または情報が来るまで続けられる（Ｓ２００６のＮＯ）。
【００８５】
ステップＳ２００６において、生体情報測定装置１０９がデータカード１１０から受信する内容を以下に示す。
（１）データカード１１０と生体情報測定装置１０９の双方共に時刻の同期を実施しない旨の通知（図１３ＡのステップＳ１３０６）。
（２）データカード１１０が既に生体情報測定装置１０９から受信した現在日時情報でＲＴＣ２１１を較正したので、通信を終了する旨の通知（図１３ＣのステップＳ１３１２）。
（３）データカード１１０から生体情報測定装置１０９へ送信される、データカード１１０の現在日時データ、電カル較正日時及び時刻較正正確度フラグ（図１３ＢのステップＳ１３０８）。
【００８６】
ステップＳ２００６において、データカード１１０から指示等の情報を受信したら（Ｓ２００６のＹＥＳ）、入出力制御部２２２は、受信した指示等の情報の内容が、データカード１１０の現在日時データ、電カル較正日時及び時刻較正正確度フラグであるか否かを確認する（Ｓ２００７）。
受信した指示等の情報の内容がデータカード１１０の現在日時データ、電カル較正日時及び時刻較正正確度フラグでないならば（Ｓ２００７のＮＯ）、入出力制御部２２２は何もせずに通信処理を終了する（Ｓ２００８）。
このステップＳ２００６からＳ２００７のＮＯは、図１３ＡのステップＳ１３０７または図１３ＣのステップＳ１３１３に相当する。
【００８７】
ステップＳ２００７において、受信した指示等の情報の内容がデータカード１１０の現在日時データ、電カル較正日時及び時刻較正正確度フラグであるならば（Ｓ２００７のＹＥＳ）、入出力制御部２２２は、時刻情報更新処理部２２６を通じて、受信した日時データでＲＴＣ２１１を較正する（Ｓ２００９）。
次に入出力制御部２２２は、ステップＳ２００６にて受信したデータカード１１０の時刻較正正確度フラグを、生体情報測定装置１０９自身の時刻較正正確度フラグに上書き保存する（Ｓ２０１０）。
【００８８】
更に入出力制御部２２２は、ステップＳ２００６にて受信した電カル較正日時を、生体情報測定装置１０９自身の電カル較正日時として、時刻較正情報メモリ２２７に保存すると共に、ステップＳ２００６にて受信した日時データを、生体情報測定装置１０９自身のサブ機器較正実施日時として、時刻較正情報メモリ２２７に保存して（Ｓ２０１１）、通信処理を終了する（Ｓ２００８）。
このステップＳ２００７のＹＥＳからステップＳ２０１１は、図１３ＢのステップＳ１３０９及びＳ１３１０に相当する。
【００８９】
［時刻較正処理の一例］
図２１は、時刻較正処理の一例を示すタイムチャートである。
メイン機器であるデータカード１１０に対し、第一の生体情報測定装置１０９として血糖計１０３が、第二の生体情報測定装置１０９として体動量計１０６が存在する。
データカード１１０の枠内は、電カル較正日時と時刻較正正確度フラグを示す。
血糖計１０３及び体動量計１０６の枠内は、上からサブ機器較正実施日時、電カル較正日時、時刻較正正確度フラグを示す。
【００９０】
状態Ｓ２００１は、２０１６年８月１日１５時３０分００秒における、データカード１１０と血糖計１０３と体動量計１０６の状態を示す。
この時点で、データカード１１０はパソコン１１１によって時刻較正が行われ、データカード１１０の電カル較正日時には「２０１６年８月１日１５時３０分００秒」が記憶され、時刻較正正確度フラグは論理の真（True）に設定される。
一方、血糖計１０３はこの時点以前に電池が交換されたため、血糖計１０３のサブ機器較正実施日時と電カル較正日時は「１９００年１月１日０時０分００秒」に初期化され、時刻較正正確度フラグは論理の偽（False）に設定される。
また、体動量計１０６は、サブ機器較正実施日時には「２０１６年７月２５日１６時２０分００秒」が、電カル較正日時には「２０１６年７月５日１０時４５分０秒」が設定され、時刻較正正確度フラグは論理の真（True）に設定されている。
【００９１】
状態Ｓ２００２は、２０１６年８月２日９時１５分００秒における、データカード１１０と血糖計１０３と体動量計１０６の状態を示す。
この時点で、データカード１１０は血糖計１０３と通信を行った。このため、血糖計１０３のサブ機器較正実施日時には「２０１６年８月２日９時１５分００秒」が、電カル較正日時には「２０１６年８月１日１５時３０分００秒」が設定され、時刻較正正確度フラグは論理の真（True）に設定される。
【００９２】
状態Ｓ２００３は、２０１６年８月４日１０時４５分００秒における、データカード１１０と血糖計１０３と体動量計１０６の状態を示す。
この時点で、体動量計１０６は電カル較正日時「２０１６年７月５日１０時４５分０秒」から時刻較正有効期間である３０日が経過したので、時刻較正正確度フラグは論理の偽（False）に書き換えられる。
【００９３】
状態Ｓ２００４は、２０１６年８月４日１１時５分００秒における、データカード１１０と血糖計１０３と体動量計１０６の状態を示す。
この時点で、データカード１１０は体動量計１０６と通信を行った。このため、体動量計１０６のサブ機器較正実施日時には「２０１６年８月４日１１時５分００秒」が、電カル較正日時には「２０１６年８月１日１５時３０分００秒」が設定され、時刻較正正確度フラグは論理の真（True）に設定される。
ここで、データカード１１０と血糖計１０３と体動量計１０６は、電カル較正日時と時刻較正正確度フラグが一致している。
【００９４】
状態Ｓ２００５は、２０１６年８月１０日１４時２０分００秒における、データカード１１０と血糖計１０３と体動量計１０６の状態を示す。
この時点で、データカード１１０は電池２０１が交換された。このため、データカード１１０の電カル較正日時は「１９００年１月１日０時０分００秒」に初期化され、時刻較正正確度フラグは論理の偽（False）に設定される。
【００９５】
状態Ｓ２００６は、２０１６年８月１０日１５時１５分００秒における、データカード１１０と血糖計１０３と体動量計１０６の状態を示す。
この時点で、データカード１１０は血糖計１０３と通信が行われた。このため、データカード１１０の電カル較正日時は「２０１６年８月１日１５時３０分００秒」に設定され、時刻較正正確度フラグは論理の真（True）に設定される。
【００９６】
状態Ｓ２００７は、２０１６年８月３１日１５時３０分００秒における、データカード１１０と血糖計１０３と体動量計１０６の状態を示す。
この時点で、データカード１１０と血糖計１０３と体動量計１０６は、電カル較正日時である「２０１６年８月１日１５時３０分００秒」から時刻較正有効期間である３０日が経過した。このため、データカード１１０と血糖計１０３と体動量計１０６は、各々の時刻較正正確度フラグが一斉に論理の偽（False）に書き換えられる。
【００９７】
状態Ｓ２００８は、２０１６年９月１日１０時１０分００秒における、データカード１１０と血糖計１０３と体動量計１０６の状態を示す。
この時点で、データカード１１０はパソコン１１１によって時刻較正が行われ、電カル較正日時には「２０１６年９月１日１０時１０分００秒」が記憶され、時刻較正正確度フラグは論理の真（True）に設定される。
【００９８】
状態Ｓ２００９は、２０１６年９月１日１６時２５分００秒における、データカード１１０と血糖計１０３と体動量計１０６の状態を示す。
この時点で、データカード１１０は血糖計１０３と通信が行われた。このため、血糖計１０３のサブ機器較正実施日時には「２０１６年９月１日１６時２５分００秒」が、電カル較正日時には「２０１６年９月１日１０時１０分００秒」が設定され、時刻較正正確度フラグは論理の真（True）に設定される。
【００９９】
状態Ｓ２０１０は、２０１６年９月２日９時４０分００秒における、データカード１１０と血糖計１０３と体動量計１０６の状態を示す。
この時点で、データカード１１０は体動量計１０６と通信が行われた。このため、体動量計１０６のサブ機器較正実施日時には「２０１６年９月２日９時４０分００秒」が、電カル較正日時には「２０１６年９月１日１０時１０分００秒」が設定され、時刻較正正確度フラグは論理の真（True）に設定される。
こうして、データカード１１０と生体情報測定装置１０９が通信を行う毎に、電カル較正日時と時刻較正正確度フラグのコピーが行われる。
【０１００】
［データカード１１０の推奨較正機器表示機能］
図２１の状態Ｓ２００５にて、データカード１１０の電池２０１が交換された後、状態Ｓ２００６にて、データカード１１０は血糖計１０３と通信を行うことで、ＲＴＣ２１１が正確性を取り戻すことができた。しかし、もし、状態Ｓ２００６で血糖計１０３のＲＴＣ２１１が正確でなかった場合は、データカード１１０が血糖計１０３と通信しても、ＲＴＣ２１１の正確性を取り戻すことができない。
データカード１１０が過去に通信を行った生体情報測定装置１０９の履歴情報を保持していれば、どの生体情報測定装置１０９が正確な日時情報を保持しているのかを判断することが可能になる。図５の時刻較正情報メモリ３０７に格納されるサブ機器最新較正情報リストは、このために設けられている。
【０１０１】
図２２は、サブ機器最新較正情報リストの一例を示す図である。
サブ機器最新較正情報リストは、サブ機器ＩＤフィールドと、電カル較正日時フィールドと、較正実施日時フィールドと、時刻較正正確度フラグフィールドと、優先順位フィールドよりなる。
サブ機器ＩＤフィールドには、生体情報測定装置１０９のサブ機器ＩＤメモリ２２８に記憶されているサブ機器ＩＤが格納される。
電カル較正日時フィールドには、生体情報測定装置１０９の時刻較正情報メモリ２２７に記憶されている電カル較正日時が格納される。
【０１０２】
較正実施日時フィールドには、生体情報測定装置１０９の時刻較正情報メモリ２２７に記憶されているサブ機器較正実施日時が格納される。
時刻較正正確度フラグフィールドには、生体情報測定装置１０９の時刻較正情報メモリ２２７に記憶されている時刻較正正確度フラグが格納される。
優先順位フィールドには、データカード１１０の表示部２０５に表示する、生体情報測定装置１０９の表示順が格納される。この優先順位は、図１４のステップＳ１４０３において付与される。
【０１０３】
優先順位のルールは、「時刻較正正確度フラグ＞電カル較正日時＞サブ機器較正実施日時」の順である。先ず、時刻較正正確度フラグが論理の真（True）であるものが、論理の偽（False）のものより優先される。次に電カル較正日時が新しいものが、古いものよりも優先される。最後に、同じ電カル較正日時のものであれば、サブ機器校製実施日時が新しいものが、古いものよりも優先される。
【０１０４】
図２３は、データカード１１０に表示される、推奨較正機器の表示例を示す図である。図１４のステップＳ１４０４にて表示部２０５に表示される表示内容の一例である。この表示内容は、図２２のサブ機器最新較正情報リストに基づいている。
図２２のサブ機器最新較正情報リストでは、時刻較正正確度フラグが論理の真（True）である２レコードの電カル較正日時が同じ「２０１６年８月２５日１２時１５分００秒」であるため、図２３ではサブ機器較正実施日時が新しい「血糖計」が１番目に、サブ機器較正実施日時が古い「体動量計」が２番目に表示されている。
同様に、図２２のサブ機器最新較正情報リストでは、時刻較正正確度フラグが論理の偽である２レコードの電カル較正日時が同じ「２０１６年８月５日１３時００分００秒」であるため、図２３ではサブ機器較正実施日時が新しい「酸素飽和度計（パルスオキシメータ）」が３番目に、サブ機器較正実施日時が古い「体温計」が４番目に表示されている。
【０１０５】
本発明の実施形態では、生体情報処理システム１０１を説明した。
生体情報測定装置１０９とデータカード１１０の双方に、ＲＴＣ２１１の正確性を判断するための指標となる、時刻較正正確度フラグと、パソコン１１１にて時刻較正を行った日時である電カル較正日時を導入した。この時刻較正正確度フラグは、電池２０１が交換されておらず、かつ、電カル較正日時から時刻較正有効期間を超えていないことで論理の真（True）に設定される。この時刻較正正確度フラグと電カル較正日時を用いることで、生体情報測定装置１０９とデータカード１１０のどちらのＲＴＣ２１１を他方の日時情報に較正するか、または較正自体を行わないのかを明確な基準で判断することができる。
【０１０６】
電池２０１を交換したデータカード１１０がどの生体情報測定装置１０９と通信すればＲＴＣ２１１を較正できるのかを示す、サブ機器最新較正情報リストを設けた。
サブ機器最新較正情報リストは、データカード１１０が過去に通信を行った生体情報測定装置１０９の履歴情報であり、これを用いて較正の優先順位を決定し、表示部２０５に表示することで、確実なデータカード１１０の時刻較正を実現する。
【０１０７】
以上、本発明の実施形態について説明したが、本発明は上記実施形態に限定されるものではなく、特許請求の範囲に記載した本発明の要旨を逸脱しない限りにおいて、他の変形例、応用例を含む。
例えば、上記した実施形態は本発明をわかりやすく説明するために装置及びシステムの構成を詳細かつ具体的に説明したものであり、必ずしも説明した全ての構成を備えるものに限定されるものではない。また、ある実施形態の構成の一部を他の実施形態の構成に置き換えることは可能であり、更にはある実施形態の構成に他の実施形態の構成を加えることも可能である。また、各実施形態の構成の一部について、他の構成の追加・削除・置換をすることも可能である。
【０１０８】
また、上記の各構成、機能、処理部等は、それらの一部又は全部を、例えば集積回路で設計するなどによりハードウェアで実現してもよい。また、上記の各構成、機能等は、プロセッサがそれぞれの機能を実現するプログラムを解釈し、実行するためのソフトウェアで実現してもよい。各機能を実現するプログラム、テーブル、ファイル等の情報は、メモリや、ハードディスク、ＳＳＤ（Solid State Drive）等の揮発性あるいは不揮発性のストレージ、または、ＩＣカード、光ディスク等の記録媒体に保持することができる。
また、制御線や情報線は説明上必要と考えられるものを示しており、製品上必ずしもすべての制御線や情報線を示しているとは限らない。実際には殆ど全ての構成が相互に接続されていると考えてもよい。
【符号の説明】
【０１０９】
１０１…生体情報処理システム、１０２…患者、１０３…血糖計、１０４…体温計、１０５…パルスオキシメータ、１０６…体動量計、１０７…血圧計、１０８…体組成計、１０９…生体情報測定装置、１１０…データカード、１１１…パソコン、１１２…カードリーダ、１１３…インターネット、１１４…ＮＴＰサーバ、２０１…電池、２０２…ＣＰＵ、２０３…ＲＯＭ、２０４…ＲＡＭ、２０５…表示部、２０６…操作部、２０７…不揮発性ストレージ、２０８…バス、２０９…センサ、２１０…Ａ／Ｄ変換器、２１１…ＲＴＣ、２１２…近距離無線通信部、２１３…電源スイッチ、２２１…測定データ演算処理部、２２２…入出力制御部、２２３…測定データ入出力処理部、２２４…測定データメモリ、２２５…電源投入時初期化処理部、２２６…時刻情報更新処理部、２２７…時刻較正情報メモリ、２２８…サブ機器ＩＤメモリ、３０１…患者ＩＤメモリ、３０２…測定データメモリ、３０３…測定データ入出力処理部、３０４…時刻情報判定処理部、３０５…入出力制御部、３０６…電源投入時初期化処理部、３０７…時刻較正情報メモリ
【図１】
2018084930.tif 000003
【図２】
2018084930.tif 000004
【図３】
2018084930.tif 000005
【図４】
2018084930.tif 000006
【図５】
2018084930.tif 000007
【図６】
2018084930.tif 000008
【図７】
2018084930.tif 000009
【図８】
2018084930.tif 000010
【図９】
2018084930.tif 000011
【図１０】
2018084930.tif 000012
【図１１】
2018084930.tif 000013
【図１２】
2018084930.tif 000014
【図１３】
2018084930.tif 000015
【図１４】
2018084930.tif 000016
【図１５】
2018084930.tif 000017
【図１６】
2018084930.tif 000018
【図１７】
2018084930.tif 000019
【図１８】
2018084930.tif 000020
【図１９】
2018084930.tif 000021
【図２０】
2018084930.tif 000022
【図２１】
2018084930.tif 000023
【図２２】
2018084930.tif 000024
【図２３】
2018084930.tif 000025